(57)【要約】【課題】フェンスの構築が容易に行えるフェンス用胴縁およびこの胴縁を使用して構築されるフェンスを提供する。【解決手段】菱形金網２の端部２ａに先端を挿入し、軸回りに回転させながら送り込むことにより端部２ａに取り付けられるスパイラル線４と、スパイラル線４内に挿入されるパイプ５とからなるフェンス用胴縁３およびこの胴縁３により構築する。【選択図】図１
2014098287.tif 000002
【特許請求の範囲】
【請求項１】
フェンスの胴縁において、網体の端部に先端を挿入し、軸回りに回転させながら送り込むことにより前記端部に取り付けられるスパイラル線と、前記スパイラル線内に挿入された胴縁材とからなることを特徴とするフェンス用胴縁。
【請求項２】
前記胴縁材は、パイプからなることを特徴とする、請求項１に記載のフェンス用胴縁。
【請求項３】
前記端部に鉄線が挿入されていることを特徴とする、請求項１または２に記載のフェンス用胴縁。
【請求項４】
前記網体は、菱形金網からなることを特徴とする、請求項１から３の何れか１つに記載のフェンス用胴縁。
【請求項５】
前記網体は、格子金網からなることを特徴とする、請求項１から３の何れか１つに記載のフェンス用胴縁。
【請求項６】
前記網体は、エキスパンドメタルからなることを特徴とする、請求項１から３の何れか１つに記載のフェンス用胴縁。
【請求項７】
前記網体は、樹脂製網からなっていることを特徴とする請求項１から３の何れか１つに記載のフェンス用胴縁。
【請求項８】
前記スパイラル線は、前記網体の少なくとも一つの端部に取り付けられていることを特徴とする、請求項１から７の何れか１つに記載のフェンス用胴縁。
【請求項９】
請求項１から８の何れか１つに記載の胴縁を使用して構築されることを特徴とするフェンス。
【発明の詳細な説明】
【技術分野】
【０００１】
この発明は、フェンス用胴縁およびフェンス、特に、容易かつ短時間に形成することができるフェンス用胴縁、および、この胴縁を使用することによって、容易に短時間にかつ低コストで構築することができるフェンスに関するものである。
【背景技術】
【０００２】
金網フェンスとして、断面形状ハット形の支柱間に、上下端にアングル鋼からなる胴縁が取り付けられた菱形金網を取り付けたものが知られている。胴縁は、ナックル加工された菱形金網の端部に挿通された鉄線を、胴縁の垂直部に形成された爪に引っ掛けることによって菱形金網に取り付けられている。
【０００３】
胴縁の垂直部は、支柱のリップ部に形成された爪内に挿入され、胴縁の水平部は、支柱の山部に挿通されたボルトにより固定金具を介して支柱に固定されている。
【０００４】
上述した金網フェンスは、構造が簡単である等の理由によって広範囲に普及しているが、菱形金網は、上述のように、その端部に挿通した鉄線を、胴縁の垂直部に形成された爪に引っ掛けることによって胴縁に取り付けられているので、胴縁から外れやすいといった問題があった。
【０００５】
この問題を解決すべくなされた金網フェンスが特許文献１に開示されている。
【０００６】
以下、この金網フェンスを従来フェンスＡといい、図面を参照しながら説明する。
【０００７】
図４は、従来フェンスＡのフェンス本体の組み立て方法を示す正面図、図５は、従来フェンスＡのフェンス本体を示す部分省略断面図である。
【０００８】
図４および図５に示すように、従来フェンスＡは、フェンス本体１１を支柱（図示せず）間に取り付けたものからなっている。フェンス本体１１は、端部１２ａにナックル加工が施された菱形金網１２と胴縁１３とからなっている。胴縁１３は、菱形金網１２の端部１２ａに取り付けられたスパイラル線１４と、スパイラル線１４が差し込まれる、全長に亘ってスリット１５ａが形成されたパイプ１５とからなっている。
【０００９】
ナックル加工には、例えば、図４中、実線で示すように、菱形金網１２の端部１２ａを水平に折り曲げた水平ナックル加工と、図４中、点線で示すように、菱形金網１２の端部１２ａを完全に折り曲げた完全ナックル加工と、後述するように、菱形金網の端部をリング状に折り曲げたカール加工等がある。カール加工には手間がかかるので、カール加工を施した金網は、水平ナックルや完全ナックル加工を施した金網に比べてコストが高い。この点で従来フェンスＡは、コスト面で有利である。
【００１０】
フェンス本体１１を組み立てるには、菱形金網１２の端部１２ａにスパイラル線１４の先端を挿入し、スパイラル線１４をその軸回りに回転させながら送り込む。このようにして、スパイラル線１４を菱形金網１２の端部１２ａの全長に亘って取り付けたら、パイプ１５の一端からスパイラル線１４をスリット１５ａ内に差し込む。このようにして、フェンス本体１１が組み立てられる。
【００１１】
図６は、別の金網フェンス（以下、従来フェンスＢという。）におけるフェンス本体を示す部分省略断面図である。
【００１２】
図６に示すように、従来フェンスＢは、フェンス本体１６を支柱（図示せず）間に取り付けたものからなっている。フェンス本体１６は、端部１７ａにカール加工が施された菱形金網１７と胴縁１８とからなっている。胴縁１８は、カール加工が施された、菱形金網１７の端部１７ａをパイプ１９内に挿入したものからなっている。パイプ１９には、その全長に亘ってスリット１９ａが形成されていて、フェンス本体１６を組み立てるには、菱形金網１７の端部１７ａを、パイプ１９の一端からスリット１９ａ内に差し込む。
【００１３】
図７は、さらに別の金網フェンス（以下、従来フェンスＣという。）を示す部分省略正面図である。
【００１４】
図７に示すように、従来フェンスＣは、フェンス本体２０を支柱２１に取り付けたものからなっている。フェンス本体２０は、支柱２１にＵボルト２２により固定されるパイプからなる胴縁２３と菱形金網２４とからなっている。胴縁２３と菱形金網２４とは、胴縁２３と菱形金網２４に挿通された鉄線２６との間に取り付けられた吊りバンド２５を介して連結されている。
【先行技術文献】
【特許文献】
【００１５】
【特許文献１】特開２００６−２８３４９５号公報
【発明の概要】
【発明が解決しようとする課題】
【００１６】
上記従来フェンスＡからＣによれば、胴縁から菱形金網が外れることを防止することはできるが、以下のような問題があった。
【００１７】
従来フェンスＡによれば、フェンス本体１１を組み立てるには、菱形金網１２の端部１２ａにスパイラル線１４の先端を挿入し、スパイラル線１４をその軸回りに回転させながら送り込む工程と、パイプ１５の一端からパイプ１５内にスパイラル線１４を差し込む工程とが必要であるので、フェンス本体１１の組み立てに時間と手間を要する。しかも、パイプ１５に形成されたスリット１５ａの幅は狭いので、スパイラル線１４の差し込み作業に時間と手間を要する。
【００１８】
従来フェンスＢによれば、カール加工が施された、菱形金網１７の端部１７ａをパイプ１９のスリット１９ａに差し込みにくい。しかも、上述したように、カール加工が施された金網は、水平ナックルや完全ナックルが施された金網に比べて、ナックル加工に手間がかかるので、コストが高い。
【００１９】
従来フェンスＣによれば、数多くの吊りバンド２５により胴縁２３と菱形金網２４とを連結する必要があるので、金網フェンスの構築に時間と手間がかかる。
【００２０】
従って、この発明の目的は、フェンスの構築が容易かつ短時間に行えるフェンス用胴縁、および、この胴縁を使用することによって、容易に短時間にかつ低コストで構築することができるフェンスを提供することにある。
【課題を解決するための手段】
【００２１】
この発明は、上記目的を達成するためになされたものであり、下記を特徴とするものである。
【００２２】
請求項１に記載の発明は、フェンスの胴縁において、網体の端部に先端を挿入し、軸回りに回転させながら送り込むことにより前記端部に取り付けられるスパイラル線と、前記スパイラル線内に挿入された胴縁材とからなることに特徴を有するものである。
【００２３】
請求項２に記載の発明は、請求項１に記載の発明において、前記胴縁材は、パイプからなることに特徴を有するものである。
【００２４】
請求項３に記載の発明は、請求項１または２に記載の発明において、前記端部に鉄線が挿入されていることに特徴を有するものである。
【００２５】
請求項４に記載の発明は、請求項１から３の何れか１つに記載の発明において、前記網体は、菱形金網からなることに特徴を有するものである。
【００２６】
請求項５に記載の発明は、請求項１から３の何れか１つに記載の発明において、前記網体は、格子金網からなることに特徴を有するものである。
【００２７】
請求項６に記載の発明は、請求項１から３の何れか１つに記載の発明において、前記網体は、エキスパンドメタルからなることに特徴を有するものである。
【００２８】
請求項７に記載の発明は、請求項１から３の何れか１つに記載の発明において、前記網体は、樹脂製網からなっていることに特徴を有するものである。
【００２９】
請求項８に記載の発明は、請求項１から７の何れか１つに記載の発明において、前記スパイラル線は、前記網体の少なくとも一つの端部に取り付けられていることに特徴を有するものである。
【００３０】
請求項９に記載の発明は、請求項１から７の何れか１つに記載の胴縁を使用して構築されるフェンスに特徴を有するものである。
【発明の効果】
【００３１】
この発明によれば、網体の端部に先端を挿入し、軸回りに回転させながら送り込むことにより網体の端部に取り付けられるスパイラル線と、このスパイラル線内に挿入される胴縁材とにより構成されているので、網体から外れることがないフェンス用胴縁を容易に短時間で形成することができる。また、この胴縁を使用することにより容易に短時間にかつ低コストで構築することができるフェンスを提供することができる。
【図面の簡単な説明】
【００３２】
【図１】この発明のフェンスにおけるフェンス本体を示す部分正面図である。
【図２】この発明のフェンスにおけるフェンス本体の組み立て方法を示す部分正面図である。
【図３】この発明のフェンスにおける別のフェンス本体を示す部分正面図である。
【図４】従来フェンスＡのフェンス本体の組み立て方法を示す正面図である。
【図５】従来フェンスＡのフェンス本体を示す部分省略断面図である。
【図６】従来フェンスＢにおけるフェンス本体を示す部分省略断面図である。
【図７】従来フェンスＣにおけるフェンス本体を示す部分省略正面図である。
【発明を実施するための形態】
【００３３】
この発明のフェンスの一実施態様を、図面を参照しながら説明する。
【００３４】
図１は、この発明のフェンスにおけるフェンス本体を示す部分正面図、図２は、この発明のフェンスにおけるフェンス本体の組み立て方法を示す部分正面図である。
【００３５】
図１および図２において、１は、この発明のフェンスにおけるフェンス本体である。フェンス本体１は、網体としての菱形金網２と菱形金網２のナックル加工が施された端部２ａに形成された胴縁３とからなっている。網体としては、菱形金網２以外に、鋼線を格子状に溶接した格子金網、エキスパンドメタル、または、例えば、樹脂製紐を菱形あるいは格子状に編んだ樹脂製網であっても良い。胴縁３は、菱形金網２の端部２ａに取り付けられたスパイラル線４と、スパイラル線４内に挿入された胴縁材としての鋼製パイプ５とからなっている。胴縁材としては、パイプ５以外にアングル鋼等の鋼材であっても良い。菱形金網２の端部２ａには、完全ナックル加工が施されている。水平ナックル加工が施されている菱形金網であっても良い。スパイラル線４の径は、パイプ５の径より大きく形成されている。
【００３６】
胴縁３を形成するには、図２に示すように、菱形金網２の端部２ａに沿ってパイプ５を配し、スパイラル線４の先端を菱形金網２の端部２ａに挿入し、スパイラル線４をその軸回りに回転させて、パイプ５に沿って送り込む。これにより、菱形金網２の端部２ａにパイプ５がスパイラル線４を介して取り付けられたものからなる胴縁３が形成される。
【００３７】
このように、パイプ５と菱形金網２とはスパイラル線４により連結されているので、パイプ５から菱形金網２が外れることがなく、しかも、菱形金網２の端部２ａにスパイラル線４の先端を挿入し、スパイラル線４をその軸回りに回転させながら送り込む工程のみで、胴縁３を形成することができるので、上述した従来フェンスに比べて胴縁３の形成が容易に行える。
【００３８】
この発明の胴縁３は、最初に菱形金網２の端部２ａにスパイラル線４の先端を挿入し、スパイラル線４を軸回りに回転させながら送り込み、この後、パイプ５をスパイラル線４内に挿入することによって形成しても良い。
【００３９】
上述した、この発明の胴縁３は、ナックル加工が施された、菱形金網２の端部２ａに形成したものであるが、図３に示すように、菱形金網２のナックル加工が施されていない側の端部２ｂに形成することもできる。形成方法は、ナックル加工が施された、菱形金網２の端部２ａに形成する場合と同様である。
【００４０】
この発明の胴縁３を使用して金網フェンスを構築するには、菱形金網２の上下左右端部に、この発明の胴縁を形成してフェンス本体を構築し、このフェンス本体を支柱間に取り付けても良いし、菱形金網２の左右端部の胴縁を公知の胴縁としても良い。
【００４１】
以上は、スパイラル線４を菱形金網２の端部２ａに挿通させて、パイプ５と菱形金網２とを連結して胴縁３を形成したものであるが、図１中、二点鎖線で示すように、菱形金網２の端部２ａに鉄線６を挿通し、スパイラル線４によりパイプ５と菱形金網２とを鉄線６を介して連結して胴縁３を形成しても良い。これによって、菱形金網２の目の寸法とスパイラル線４のピッチとが一致しない場合であってもパイプ５と菱形金網２とを連結することができる。
【００４２】
また、鉄線６を挿通すれば、菱形金網２の目の寸法が異なっていても、同じピッチのスパイラル線４を使用することができる。
【００４３】
以上説明したように、この発明によれば、スパイラル線を介して胴縁材を網体の端部に取り付けることによって胴縁を形成するので、胴縁が網体から外れるおそれはない。しかも、スパイラル線の先端を網体の端部に挿入し、スパイラル線をその軸回りに回転させながら送り込む工程のみによって胴縁を形成することができるので、胴縁の形成が容易かつ短時間に行える。さらに、この胴縁を使用することによって、網体として菱形金網を使用する場合、菱形金網の端部にカール加工を施す必要がないことによる低コスト化の効果と相俟って、容易かつ短時間にかつ低コストで金網フェンスを構築することができる。
【符号の説明】
【００４４】
１：フェンス本体
２：菱形金網
２ａ：ナックル加工が施された側の端部
２ｂ：ナックル加工が施されていない側の端部
３：胴縁
４：スパイラル線
５：パイプ
６：鉄線
１１：フェンス本体
１２：菱形金網
１２ａ：端部
１３：胴縁
１４：スパイラル線
１５：パイプ
１５ａ：スリット
１６：フェンス本体
１７：菱形金網
１７ａ：端部
１８：胴縁
１９：パイプ
１９ａ：スリット
２０：フェンス本体
２１：支柱
２２：Ｕボルト
２３：胴縁
２４：菱形金網
２５：吊りバンド
２６：鉄線
【図１】
2014098287.tif 000003
【図２】
2014098287.tif 000004
【図３】
2014098287.tif 000005
【図４】
2014098287.tif 000006
【図５】
2014098287.tif 000007
【図６】
2014098287.tif 000008
【図７】
2014098287.tif 000009